(57)【特許請求の範囲】
【請求項１】
正面視略長方形状の中枠と、
当該中枠の、遊技者に対向する前面側とは反対の裏面側に組み付けられた樹脂製の機構盤と、
当該機構盤の、前記中枠に組み付けられる裏面に設けられ、略水平に延設された平面視略帯状の金属製の機構盤側掛け片と、
前記中枠の前記裏面側に設けられ、前記機構盤側掛け片と係合する平面視略帯状の金属製の中枠側受け片と
を備え、
前記機構盤は、
略水平に延設された水平延設部と、
当該水平延設部の長手方向一端部より略垂直上方に延設された垂直延設部と
から構成され、
前記機構盤側掛け片は、前記水平延設部の前記中枠に組み付けられる裏面の上端部近傍に固定され、前記水平延設部の長手方向に対して平行に延設された略帯状の機構盤側固定片と、当該機構盤側固定片の下端部から斜め下方に延設された係止爪とを備え、
前記中枠側受け片は、前記中枠の前記裏面に固定され、前記中枠の左右方向に延設された略帯状の中枠側固定片と、当該中枠側固定片の上端部の略中央に設けられ、前記中枠側固定片の表面より略直角に起き上がり、さらにその先端側が上方に略直角に折り返されて形成された断面視略Ｌ字形状のＬ字状係合部と、前記中枠側固定片の裏面側から表面側に向かって射出して形成され、前記中枠側固定片の長手方向に対して平行に延設された第１凸状部と、前記Ｌ字状係合部の先端側近傍に沿って設けられ、前記中枠側受け片の裏面側から表面側に向かって隆起する第２凸状部とを備え、
前記中枠側受け片の前記Ｌ字状係合部に対して、前記機構盤側掛け片の前記係止爪を上方から係止させることによって、前記機構盤が前記中枠の前記裏面に組み付けられることを特徴とする遊技機。
【発明の詳細な説明】
【技術分野】
【０００１】
本発明は、遊技機に関し、詳細には、中枠の裏面側に機構盤を組み付けた遊技機に関する。
【背景技術】
【０００２】
従来、遊技機の一種であるパチンコ機によれば、パチンコ機本体を支持する外枠の、遊技者に対向する前面側に、中枠が開閉可能に軸支され、さらに球タンクや、球払出装置および各種基盤等が装着された機構盤が、その中枠の裏面側に組み付けられているものが知られている。そして、このような機構盤の裏面（中枠に組み付けられる面）には、先端が下向きの略Ｖ字形状の引っ掛け片が複数付設され、それら引っ掛け片は樹脂製の機構盤とともに一体成型されている。さらに、中枠の裏面側において、機構盤に付設された複数の引っ掛け片に各々対向する位置には、機構盤の引っ掛け片と係合するための係止孔が複数設けられている。そして、機構盤の引っ掛け片が、中枠の係止孔に各々係合することにより、中枠の裏面側に機構盤が固定される。このようなパチンコ機において、例えば、機構盤に可動レバーを有する係止部材が着脱可能に取り付けられ、その係止部材の可動レバーを前面枠（中枠）の後方に設置された裏枠に設けられた鉤状部材に係止させることにより、機構盤が裏枠に強固に取り付けられる遊技機が提案されている（例えば、特許文献１参照）。
【特許文献１】特開平１１−３１９２６１号公報
【発明の開示】
【発明が解決しようとする課題】
【０００３】
しかしながら、特許文献１に記載の遊技機では、前面枠（中枠）の裏枠に各々設けられた複数の引っ掛け片は、各々が先端下向きの略Ｖ字形状であり、どれか１つでも折れ曲がったり、損傷したりした場合には、中枠に対して機構盤が傾いて組み付けられてしまうという問題点があった。また、そのような場合、機構盤と中枠との間に隙間ができてしまい、中枠に対して機構盤を強固に組み付けられないなどの問題点もあった。
【０００４】
本発明は、上述の課題を解決するためになされたものであり、機構盤を中枠に対して、偏りなく、かつ強固に組み付けることができる遊技機を提供することを目的とする。
【課題を解決するための手段】
【０００５】
上記目的を達成するために、請求項１に係る発明の遊技機では、正面視略長方形状の中枠と、当該中枠の、遊技者に対向する前面側とは反対の裏面側に組み付けられた樹脂製の機構盤と、当該機構盤の、前記中枠に組み付けられる裏面に設けられ、略水平に延設された平面視略帯状の金属製の機構盤側掛け片と、前記中枠の前記裏面側に設けられ、前記機構盤側掛け片と係合する平面視略帯状の金属製の中枠側受け片とを備え、前記機構盤は、略水平に延設された水平延設部と、当該水平延設部の長手方向一端部より略垂直上方に延設された垂直延設部とから構成され、前記機構盤側掛け片は、前記水平延設部の前記中枠に組み付けられる裏面の上端部近傍に固定され、前記水平延設部の長手方向に対して平行に延設された略帯状の機構盤側固定片と、当該機構盤側固定片の下端部から斜め下方に延設された係止爪とを備え、前記中枠側受け片は、前記中枠の前記裏面に固定され、前記中枠の左右方向に延設された略帯状の中枠側固定片と、当該中枠側固定片の上端部の略中央に設けられ、前記中枠側固定片の表面より略直角に起き上がり、さらにその先端側が上方に略直角に折り返されて形成された断面視略Ｌ字形状のＬ字状係合部と、前記中枠側固定片の裏面側から表面側に向かって射出して形成され、前記中枠側固定片の長手方向に対して平行に延設された第１凸状部と、前記Ｌ字状係合部の先端側近傍に沿って設けられ、前記中枠側受け片の裏面側から表面側に向かって隆起する第２凸状部とを備え、前記中枠側受け片の前記Ｌ字状係合部に対して、前記機構盤側掛け片の前記係止爪を上方から係止させることによって、前記機構盤が前記中枠の前記裏面に組み付けられることを特徴とする。
【０００６】
【０００７】
【０００８】
【０００９】
なお、本発明においては、中枠を支持する正面視略長方形状の外枠を備えてもよい。
【発明の効果】
【００１０】
請求項１に係る発明の遊技機では、中枠の裏面側に、機構盤が組み付けられる。そして、機構盤の、中枠に組み付けられる裏面には、略水平に延設された平面視略帯状の機構盤側掛け片が設けられている。さらに、中枠の裏面側には、機構盤側掛け片が係合可能な中枠側受け片が設けられている。そして、機構盤側掛け片を中枠側受け片に係合することにより、中枠に対して、機構盤の組み付けをより強固にすることができる。さらに、機構盤の重量は、略水平に延設された機構盤側掛け片全体に均等にかかるため、中枠に対して機構盤を偏りなく組み付けることができる。また、機構盤側掛け片と、中枠側受け片とが互いに係合して接触する部分が略水平方向に長いため、中枠側掛け片に対して機構盤側受け片を強固に係止することができる。また、機構盤は、水平延設部と、垂直延設部とから構成されている。そして、機構盤側掛け片は、水平延設部の裏面に設けられ、水平延設部の長手方向に沿って延設されている。そのため、機構盤の水平延設部全体を、中枠に対して強固に組み付けることができる。さらに、機構盤の重量は、略水平に延設された機構盤側掛け片全体に均等にかかるため、中枠に対して機構盤を偏りなく組み付けることができる。また、機構盤側掛け片は金属を材質として形成されているので、機構盤側掛け片が設けられた、機構盤の水平延設部の強度を向上させることができる。また、中枠側受け片は金属を材質として形成されているので、機構盤側掛け片の係合により、中枠側受け片が損傷するのを防止することができる。また、機構盤の重量により、中枠側受け片が折れ曲がったりするのを防止することができる。
【００１１】
【００１２】
【００１３】
【発明を実施するための最良の形態】
【００１４】
以下、本発明に係る遊技機の一実施の形態であるパチンコ機１について、図面に基づいて説明する。図１は、本発明の一実施の形態であるパチンコ機１の、中枠１３、表枠１４が開いた状態を示す左側から見た斜視図であり、図２は、パチンコ機１の正面図であり、図３は、パチンコ機１の裏側から見た斜視図である。なお、図１に示すように、本発明の一実施の形態であるパチンコ機１によれば、機構盤３０を中枠１３の裏面側に偏りなく、且つ強固に組み付けるとともに、樹脂製の機構盤３０の強度を向上させるものである。
【００１５】
はじめに、パチンコ機１の概略構成について説明する。図１に示すように、パチンコ機１は、ホールの島設備（図示外）に配設され、パチンコ機１本体を支持する正面視略長方形状の外枠１２を備えている。そして、外枠１２の遊技者に対向する前面側には、正面視略長方形状の中枠１３が設けられている。そして、この中枠１３の中枠左柱部１３ｃ（図４参照）側は、上ヒンジ２４および下ヒンジ２５を介して、外枠１２の外枠左柱部１２ｃ近傍に軸支されることにより、中枠１３が外枠１２に対して、略水平方向に回動する。一方、中枠１３の上半分には遊技盤２が固定され、当該遊技盤２の前面側には、略矩形状の表枠１４が設けられている。そして、表枠１４の表枠左側端部１４ｃが、中枠１３の中枠左柱部１３ｃ（図４参照）近傍に軸支されることにより、表枠１４が中枠１３に対して、略水平方向に回動する。さらに、表枠１４の略中央には、正面視略円形状の窓部２３が形成され、その窓部２３には、正面視略円形状のガラス板２１が嵌め込まれている。このため、中枠１３の上半分に固定された遊技盤２は、ガラス板２１を略中央に保持した表枠１４によって保護されている。
【００１６】
また、図１および図２に示すように、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には遊技球の発射を調整する発射ハンドル７が設けられている。また、図２に示すように、上皿５と下皿６との間にはスピーカ４８が設けられている。さらに、中枠１３の上皿５の右側には鍵穴５６が設けられており、この鍵穴５６の背面にはシリンダ錠（図示外）が設けられている。そして、この鍵穴５６に鍵（図示外）を挿入し、挿入された鍵を反時計回りに回転させることにより、外枠１２（図１参照）に対して固定されていた中枠１３（図１参照）が開放され、略水平方向に回動可能となる。一方、挿入された鍵を時計回りに回転させることにより、中枠１３（図１参照）に対して固定されていた表枠１４が開放され、略水平方向に回動可能となる。
【００１７】
さらに、図２に示すように、遊技盤２は、正面視略正方形に形成されている。そして、遊技盤２の、遊技者に対向する前面側には、ガイドレール（図示外）で囲まれた正面視略円形状の遊技領域４が設けられている。よって、発射ハンドル７を操作することにより発射された遊技球が、ガイドレール（図示外）に導かれて遊技領域４へ侵入し、遊技領域４内を流下するようになっている。また、遊技領域４の略中央には特別図柄表示部Ｌ１，Ｌ２，Ｌ３を備えた特別図柄表示装置８が設けられている。そして、特別図柄表示装置８の下部には特別図柄始動電動役物１５、その下方には大入賞口１６が設けられている。さらに、図２に示すように、大入賞口１６の下方には、いずれの入賞口にも入賞しなかった遊技球が回収されるアウト口（図示外）が設けられている。
【００１８】
さらに、特別図柄表示装置８の左右上方には電飾風車９，１０が各々設けられている。また、特別図柄表示装置８の左側方には普通図柄始動ゲート２２が設けられている。そして、特別図柄始動電動役物１５の左右には普通入賞口１９，２０がそれぞれ設けられており、大入賞口１６の左右にも普通入賞口１７，１８がそれぞれ設けられている。
【００１９】
また、図１および図３に示すように、パチンコ機１の裏面側において、中枠１３の裏面側に組み付けられた正面視略Ｌ字型形状の機構盤３０が露出した状態となっている。そして、図３に示すように、この機構盤３０には、遊技球樋８８、球払出装置８９などの各装置や、制御基盤、サブ統合基盤などの各種基盤（図示外）が各々組み付けられている。そして、機構盤３０の上部には、正面視略長方形状の中継基盤５４を内部に備えた中継基盤ボックス６４が設けられている。また、パチンコ機１の裏面側には、樹脂製の透明な板材からなるセンターカバー８３や、各種基盤を保護するための基盤ボックス８５，８６が設けられている。
【００２０】
さらに、図３に示すように、センターカバー８３の上方には、遊技機設置島から供給される遊技球を貯留する球タンク８１が設けられている。この球タンク８１は、その上部（天面）が開放された略皿状に形成されている。そして、その内側には、多量の遊技球を貯留可能な貯留凹部８１ａが形成されている。この球タンク８１には、その図３の右側下面に貯留凹部８１ａと連通する排出口（図示外）が形成されており、その排出口へ向けて、貯留凹部８１ａの底面は下降して傾斜している。このため、貯留凹部８１ａに貯留された遊技球は排出口から排出される。そして、球タンク８１の底面に形成された排出口には、遊技球を整列して導く球タンクレール８２が接続され、その球タンクレール８２は、機構盤３０に向かって斜め下方に配設されている。この球タンクレール８２は、球タンク８１へ供給された遊技球を、排出口から機構盤３０に装着された球払出装置８９に誘導する樋状の部材である。そして、この球タンクレール８２の、遊技球が流れる下流側一端部は、機構盤３０に装着された遊技球樋８８の上流側の端部に接続されている。
【００２１】
次に、外枠１２について説明する。図１に示すように、外枠１２は、ホールの島設備（図示外）に取り付けられるパチンコ機１本体を支持する枠である。この外枠１２は、外枠上柱部１２ａ、外枠右柱部１２ｂ、外枠左柱部１２ｃ、外枠下柱部１２ｄからなり、正面視略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。また、外枠下柱部１２ｄの長手方向略中間位置よりやや右側（図１の左側）の上面には、樹脂製の中枠滑り板１１が固定されている。この中枠滑り板１１は、中枠１３の中枠下柱部１３ｄ（図４参照）の下面が、外枠下柱部１２ｄの上面に摺動して乗り上げるために設けられている。さらに、図２に示すように、外枠下柱部１２ｄの、遊技者に対向する前面には、樹脂で形成された黒色の薄板である化粧板（図示外）が覆設されている。そして、上記構成からなる外枠１２の外枠左柱部１２ｃ近傍に、中枠１３の中枠左柱部１３ｃ（図４参照）側が軸支され、外枠１２に対して、中枠１３が略水平方向に回動するようになっている。
【００２２】
次に、中枠１３について説明する。図４は、中枠１３の裏面側から見た斜視図である。なお、以下の説明において、図４の右側（外枠１２に軸支される側）を「中枠１３の左側」とし、図４の左側（自由端側）を「中枠１３の右側」とする。図４に示すように、中枠１３は、中枠上柱部１３ａ、中枠右柱部１３ｂ、中枠左柱部１３ｃ、中枠下柱部１３ｄによって構成された正面視略長方形状の枠に、遊技盤固定枠５０が固着されて構成されている。そして、外枠１２の大きさよりも一回り小さい大きさを有している。さらに、中枠１３を構成するこれら柱部材は、所定の厚みを有する金属板からなる。そして、中枠上柱部１３ａ、中枠右柱部１３ｂおよび中枠左柱部１３ｃは、平面視略短冊形状に形成されている。一方、中枠下柱部１３ｄは、中枠上柱部１３ａ、中枠右柱部１３ｂおよび中枠左柱部１３ｃよりも幅の広い平面視略長方形状に形成されている。そして、この中枠下柱部１３ｄの前面側には、上述した上皿５、下皿６、スピーカ４８および発射ハンドル７などの各部品（図２参照）および各装置などが固定される。
【００２３】
一方、図４に示すように、中枠上柱部１３ａの長手方向左側（図４の右側）一端部近傍には、中枠１３の前面側に延設された平面視略半円形状の掛け部２４ａが固定されている。この掛け部２４ａは、外枠１２に固定された受け部２４ｂ（図１参照）と係合し、ともに上ヒンジ２４（図１参照）を構成する。一方、中枠左柱部１３ｃの前面の、長手方向略中間よりもやや下方位置近傍には、受け部２６ａが固定されている。この受け部２６ａは、表枠１４の左下角部近傍に固定された掛け部２６ｂ（図１参照）と係合し、ともに中ヒンジ２６（図１参照）を構成する。さらに、中枠下柱部１３ｄの前面の、左下（図４の右下）角部近傍には、掛け部２５ａが固定されている。この掛け部２５ａは、外枠１２（図１参照）に固定された受け部２５ｂ（図１参照）と係合し、ともに下ヒンジ２５（図１参照）を構成する。こうして、図１に示すように、中枠１３の中枠左柱部１３ｃ（図４参照）側が、外枠１２の外枠左柱部１２ｃ近傍に軸支されることにより、外枠１２に対して中枠１３が略水平方向に回動可能となる。一方、表枠１４の表枠左側端部１４ａは、中枠１３の中枠左柱部１３ｃ（図４参照）近傍に軸支されることにより、中枠１３に対して表枠１４が略水平方向に回動可能となる。
【００２４】
次に、中枠１３の、遊技盤固定枠５０について説明する。図４に示すように、中枠１３の中央に形成された正面視略長方形状の開口部の裏面側周囲には、遊技盤２を固定するための遊技盤固定枠５０が固着され、中枠１３と一体化されている。そして、遊技盤固定枠５０は、底面に遊技盤用開口部Ｑが形成された蓋なしの箱型に形成され、固定枠上柱部５０ａ、固定枠右柱部５０ｂ、固定枠左柱部５０ｃ、固定枠下柱部５０ｄの断面視略Ｌ字型の板部材によって構成されている。さらに、このような構成からなる遊技盤固定枠５０は、自身の底面側を、中枠１３の裏面側に位置するように中枠１３の裏面に固着され、中枠１３を構成している。そして、遊技盤固定枠５０の略中央に形成された遊技盤用開口部Ｑの前面側から、遊技盤２に組み付けられた特別図柄表示装置８の一部や、各種部品の遊技盤２の盤面の裏側から突出する部分を嵌め込むことにより、遊技盤２が遊技盤固定枠５０の前面（図４の紙面奥行き側の面）に密着されて固定される。なお、図４に示す中枠１３と、遊技盤固定枠５０とが、「中枠」に相当する。
【００２５】
次に、中枠１３の裏面側の構造について説明する。図４に示すように、固定枠上柱部５０ａの、稜線の長手方向左側一端部（図４の右側一端部）近傍には、平面視略長方形状の係止孔３２が、その稜線に沿って設けられている。この係止孔３２は、機構盤３０に固定された後述する係止爪４２（図６参照）が係止するための孔である。また、固定枠下柱部５０ｄの左側（図４に示す右側）角部近傍には、断面視略Ｌ字型形状の左側受け部７１が２つのリベット３５で固定されている。さらに、固定枠下柱部５０ｄの右側（図４に示す左側）角部近傍の、左側受け部７１よりもやや高めの位置には、断面視略Ｌ字型形状の右側受け部７０が２つのリベット３５で固定されている。さらに、これら略Ｌ字型形状の右側受け部７０および左側受け部７１は、固定枠下柱部５０ｄの面に固定される固定片と、中枠１３の前方から後方（図４の紙面手前側）に向かう方向に延設される延設片とによって構成されている。さらに、右側受け部７０の延設片の略中央には、平面視略長方形状の穴部７０ａが形成されている。一方、左側受け部７１の延設片の略中央には、平面視略長方形状の穴部７１ａが形成されている。そして、これら穴部７０ａ，７１ａには、機構盤３０の、後述する係合突起体７６，７５の係合突起７６ａ，７５ａ（図６参照）が各々係合する。なお、右側受け部７０および左側受け部７１の材質は、ステンレス板またはアルミ板からなる金属である。
【００２６】
さらに、図４に示すように、固定枠下柱部５０ｄの、遊技盤用開口部Ｑに接する一端部近傍には、略水平に延設された平面視略帯状の中枠側受け片６０が、リベット３８，３８で固定されている。そして、この中枠側受け片６０の長手方向に直交する方向の上端部には、機構盤３０に固定された後述する機構盤側掛け片９０の係止爪９２（図６参照）が係合するための、Ｌ字状係合部６１が設けられている。なお、中枠側受け片６０の構造については、後に詳述する。
【００２７】
次に、機構盤３０について、図５乃至図７を参照して説明する。図５は、機構盤３０の表側から見た斜視図であり、図６は、機構盤３０の裏側から見た斜視図であり、図７は、機構盤３０の裏面図である。なお、以下の説明において、機構盤３０の中枠１３に組み付けられる面を、「機構盤３０の裏面（装着面）」とし、その反対面である各種基盤および各種装置が装着される面を、「機構盤３０の前面」とする。
【００２８】
図５乃至図７に示すように、機構盤３０は、正面視略Ｌ字型に形成され、略水平に延設された水平延設部３０ａと、当該水平延設部３０ａの長手方向の右側（図５の右側）一端部から略垂直上方に向かって延設された垂直延設部３０ｂとで構成されている。そして、機構盤３０は、合成樹脂で成型された正面視略Ｌ字型の枠フレーム（図示外）を基本骨格として備えている。さらに、図５に示すように、その枠フレームには、遊技球樋８８、球払出装置８９などの各種装置や、制御基盤、サブ統合基盤などの各種基盤（図示外）が組み付けられる。
【００２９】
次に、水平延設部３０ａの前面側の構造について説明する。図５に示すように、水平延設部３０ａは、パチンコ機１の左右両方向であって略水平に延設された樹脂製板部材である。そして、水平延設部３０ａの前面には、パチンコ機１全体の制御を行う主基盤（図示外）、サブ統合基盤（図示外）、払出基盤（図示外）等の各種基盤が各々装着される。そして、それらの上から基盤ボックス８５，８６（図３参照）が装着され、各種装置および各種基盤が保護される。
【００３０】
次に、水平延設部３０ａの裏面側の構造について説明する。図６および図７に示すように、水平延設部３０ａの長手方向の右側一端部（図６および図７の左側）一端部近傍の下部には、略直方体状の溝である右側溝部７７が設けられている。そして、その右側溝部７７の内側には、係合突起７５ａが凸設された係合突起体７５が設けられている。そして、この係合突起７５ａは、その先端側を下方に向かって突出させている。一方、水平延設部３０ａの長手方向の左側一端部（図６および図７の右側）一端部近傍の下部には、略直方体状の溝である左側溝部７８が設けられている。そして、その左側溝部７８の内側には、係合突起７６ａが凸設された係合突起体７６が設けられている。そして、この係合突起７６ａは、係合突起７５ａと同様に、その先端側を下方に向かって突出させている。したがって、係合突起体７５の係合突起７５ａは、中枠１３の遊技盤固定枠５０に固定された左側受け部７１の穴部７１ａ（図４参照）に係合する。一方、係合突起体７６の係合突起７６ａも同様に、中枠１３の遊技盤固定枠５０に固定された右側受け部７０の穴部７０ａ（図４参照）に係合するようになっている。
【００３１】
また、図６および図７に示すように、水平延設部３０ａの長手方向に直交する方向の上端部近傍には、水平延設部３０ａの長手方向に対して平行、かつ略水平に延設された、平面視略帯状に形成された機構盤側掛け片９０が、４つの固定ネジ５１，５１，５１，５１（図７参照）で固定されている。そして、この機構盤側掛け片９０の係止爪９２が、中枠１３の遊技盤固定枠５０に固定された中枠側受け片６０の、Ｌ字状係合部６１（図４参照）に係止されるようになっている。なお、機構盤側掛け片９０の構造については、後に詳述する。
【００３２】
次に、垂直延設部３０ｂの前面側の構造について説明する。図５に示すように、垂直延設部３０ｂは、水平延設部３０ａの長手方向の右側一端部から、略垂直に延設されている。この垂直延設部３０ｂには、球タンクレール８２（図３参照）の下流側一端部が接続された遊技球樋８８が配設され、当該遊技球樋８８の下方には球払出装置８９が設けられている。この球払出装置８９は、賞球や貸し球を払い出す装置である。さらに、球払出装置８９の下方には、上皿５（図２参照）に遊技球を払い出す払出樋（図示外）が連結されている。したがって、球タンク８１（図３参照）に供給された遊技球は、球タンクレール８２（図３参照）を介して、機構盤３０に設けられた遊技球樋８８に流入し、球払出装置８９の内部に誘導される。そして、球払出装置８９はそれらの遊技球を１個ずつ払出樋へ払い出すことにより、上皿５（図２参照）に遊技球が供給されるようになっている。さらに、垂直延設部３０ｂの長手方向上端部には、前面（図５の紙面手前側）が開口された略箱型形状の中継基盤ボックス６４が設けられ、その中継基盤ボックス６４の内側には、中継基盤５４（図３参照）が嵌め込まれる。この中継基盤５４は、台管理装置から供給される交流電圧を電源回路基盤（図示外）へ中継する基盤である。
【００３３】
次に、垂直延設部３０ｂの裏面側の構造について説明する。図６および図７に示すように、中継基盤ボックス６４の上端部近傍には、正面視略台形状の金属製の係止爪４２が、固定ネジ４１，４１（図７参照）で固定されている。そして、この係止爪４２は、固定ネジ４１，４１で固定される一端部から斜め下方に向かって延設されている。そのため、図６に示すように、係止爪４２の先端部は、中継基盤ボックス６４の面から離れるように延設されている。そして、この係止爪４２は、中枠１３の遊技盤固定枠５０に設けられた係止孔３２（図４参照）に係合するようになっている。
【００３４】
次に、本発明の要部である中枠側受け片６０と、機構盤側掛け片９０とについて各々説明する。図８は、中枠側受け片６０の斜視図であり、図９は、機構盤側掛け片９０の斜視図である。なお、機構盤側掛け片９０と、中枠側受け片６０とが互いに係合することにより、中枠１３に対する、機構盤３０の強固かつ偏りのない組み付け構造を可能とするものである。
【００３５】
まず、中枠側受け片６０の構造について説明する。なお、図８の紙面手前側を「中枠側受け片６０の表面側」とする。図８に示すように、中枠側受け片６０は、平面視略帯状に形成された金属製板部材である。この中枠側受け片６０は、中枠１３裏面側の固定枠下柱部５０ｄ（図４参照）の裏面に密着して固定される平面視略帯状の固定片６２と、当該固定枠６２の長手方向に直交する方向の上方側の一端部の略中央に設けられ、固定片６２の表面より略直角に起き上がるように形成され、さらにその先端側が、上方に略直角に折り返されて形成された断面視略Ｌ字形状のＬ字状係合部６１とから構成されている。そして、固定片６２の長手方向両端部近傍には、中枠１３の固定枠下柱部５０ｄ（図４参照）に固定するための固定穴６３，６３が各々穿設されている。さらに、固定片６２には、固定片６２の表面よりやや隆起して形成された平面視略帯状の凸状部６５，６６が、固定片６２の長手方向に沿って各々設けられ、凸状部６５の延長線上に凸状部６６が位置している。また、Ｌ字状係合部６１の先端側近傍であって、Ｌ字状係合部６１の長手方向に沿って、中枠側受け片６０の裏面側から表面側に向かってやや隆起して形成された平面視略帯状の凸状部６１ａが設けられている。なお、凸状部６５，６６は、固定片６２の裏面側から表面側に向かって射出して形成されている。凸状部６５，６６は、固定片６２の強度を向上させている。また、凸状部６１ａも同様に、Ｌ字状係合部６１の、固定片６２の裏面側から表面側に向かって射出して形成されている。凸状部６１ａは、Ｌ字状係合部６１の強度を向上させている。また、Ｌ字状係合部６１の長手方向両端部近傍に接触する固定片６２の各位置には、溝部６７，６８が各々形成されている。
【００３６】
そして、図４に示すように、上記構成からなる中枠側受け片６０の固定片６２（図８参照）を、Ｌ字状係合部６１が上方に位置するようにして、中枠１３の固定枠下柱部５０ｄの遊技盤用開口部Ｑに接する近傍に当接させる。次いで、固定穴６３，６３（図８参照）にリベット３８，３８を固定することにより、中枠側受け片６０が、固定枠下柱部５０ｄに固定される。そして、この中枠側受け片６０のＬ字状係合部６１に、後述する機構盤３０の係止爪９２（図９参照）が係止するようになっている。
【００３７】
次に、機構盤側掛け片９０の構造について説明する。なお、図９の紙面手前側を「機構盤側掛け片９０の表面側」とする。図９に示すように、機構盤側掛け片９０は、中枠側受け片６０（図８参照）に係合するために、平面視略帯状に形成された金属製板部材である。この機構盤側掛け片９０も、中枠側受け片６０（図８参照）と同様に、一枚の金属板から射出して形成されている。そして、図９に示すように、機構盤側掛け片９０は、略水平に延設された平面視略長方形状の固定片９１と、当該固定片９１の長手方向両端部より略垂直上方に各々延設された左側垂直部９３および右側垂直部９４と、固定片９１の長手方向に直交する方向の下方側一端部より斜め下方に延設された平面視略長方形状の係止爪９２とで構成されている。そして、固定片９１には、機構盤３０の水平延設部３０ａ（図４参照）に固定するための固定穴９１ａ，９１ｂが互いに隙間を空けて穿設されている。さらに、左側垂直部９３には、固定穴９３ａが穿設され、右側垂直部９４には、固定穴９４ａが穿設されている。なお、左側垂直部９３および右側垂直部９４は、機構盤３０の水平延設部３０ａ（図７参照）の上端部における凹部形状に合致するために形成されている。また、係止爪９２は、中枠１３に設けられた中枠側受け片６０のＬ字状係合部６１（図４参照）に係止するために設けられている。
【００３８】
次に、中枠１３に対する機構盤３０の組み付け方法について説明する。まず、図４に示す中枠１３の裏面側に対して、図７に示す機構盤３０の裏面側を対向させる。そして、図４に示す中枠１３に固定された右側受け部７０の穴部７０ａには、図７に示す機構盤３０の係合突起体７６の係合突起７６ａを係合させる。さらに、図４に示す中枠１３に固定された左側受け部７１の穴部７１ａには、図７に示す機構盤３０の係合突起体７５の係合突起７５ａを係合させる。一方、図４に示す中枠１３に固定された係止孔３２には、図７に示す機構盤３０の係止爪４２を係合させる。そして、図４に示す中枠１３に固定された中枠側受け片６０には、図７に示す機構盤側掛け片９０を係合させる。この時、図４に示す中枠側受け片６０のＬ字状係合部６１に、図７に示す機構盤側掛け片９０の係止爪９２を係合させる。そして、中枠側受け片６０のＬ字状係合部６１（図４参照）と、機構盤側掛け片９０の係止爪９２（図７参照）とが互いに隙間なく係合するため、中枠１３に対して、機構盤３０を強固に固定することができる。さらに、図４および図７に示すように、中枠側受け片６０および機構盤側掛け片９０は、中枠１３の左右方向に対して平行に長く延設された形状であるので、機構盤３０自身の重量が、パチンコ機１の左右方向に長い中枠側受け片６０に均等にかかる。したがって、中枠１３に対して機構盤３０を偏りなく組み付けることができる。また、図７に示す機構盤３０に固定された機構盤側掛け片９０は、金属製の板部材であり、機構盤３０の水平延設部３０ａの長手方向に沿って延設されて固定されているので、樹脂からなる枠フレームを骨格とする機構盤３０の強度を向上させることができる。
【００３９】
以上説明したように、本発明の一実施の形態のパチンコ機１によれば、中枠１３の裏面側には、中枠側受け片６０が設けられ、機構盤３０の裏面側には、機構盤側掛け片９０が設けられている。そして、中枠側受け片６０のＬ字状係合部６１と、機構盤側掛け片９０の係止爪９２とが互いに隙間なく係合するため、中枠１３に対して、機構盤３０を強固に組み付けることができる。さらに、中枠側受け片６０および機構盤側掛け片９０は、略水平に延設された形状であるので、機構盤３０自身の重量が、略水平方向に長い中枠側受け片６０に均等にかかることから、機構盤３０を偏ることなく組み付けることができる。また、機構盤３０に固定された機構盤側掛け片９０は、金属製の板部材であり、機構盤３０の水平延設部３０ａの長手方向に沿って延設されて固定されているので、樹脂からなる枠フレームを骨格とする機構盤３０の強度を向上させることができる。
【００４０】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【００４１】
また、中枠側受け片６０および機構盤側掛け片９０の形状は、パチンコ機１の左右方向に長い形状であり、機構盤３０の重量を支持することができれば、上記実施形態の形状に限定されない。
【００４２】
さらに、機構盤３０を中枠に対して固定するための、固定部材を設けてもよい。例えば、上記係合部材に加え、可動レバーを有する固定部材を機構盤３０に設けて、固定部材の可動レバーを中枠１３に設けられた鉤状部材に係止させることにより、機構盤３０が中枠１３に取り付けられるようにしてもよい。
【産業上の利用可能性】
【００４３】
本発明の遊技機は、パチンコ機に限られず、パチコン機およびスロット等の遊技機に適用可能である。
【図面の簡単な説明】
【００４４】
【図１】本発明の一実施の形態であるパチンコ機１の、中枠１３、表枠１４が開いた状態を示す左側から見た斜視図である。
【図２】パチンコ機１の正面図である。
【図３】パチンコ機１の裏側から見た斜視図である。
【図４】中枠１３の裏面側から見た斜視図である。
【図５】機構盤３０の表側から見た斜視図である。
【図６】機構盤３０の裏側から見た斜視図である。
【図７】機構盤３０の裏面図である。
【図８】中枠側受け片６０の斜視図である。
【図９】機構盤側掛け片９０の斜視図である。
【符号の説明】
【００４５】
１    パチンコ機
２    遊技盤
１３    中枠
１３ａ  中枠上柱部
１３ｂ  中枠右柱部
１３ｃ  中枠左柱部
１３ｄ  中枠下柱部
３０    機構盤
３０ａ  水平延設部
３０ｂ  垂直延設部
５０    遊技盤固定枠
６０    中枠側受け片
９０    機構盤側掛け片
【図１】
0004625899.tif 000002
【図２】
0004625899.tif 000003
【図３】
0004625899.tif 000004
【図４】
0004625899.tif 000005
【図５】
0004625899.tif 000006
【図６】
0004625899.tif 000007
【図７】
0004625899.tif 000008
【図８】
0004625899.tif 000009
【図９】
0004625899.tif 000010